【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
厚さ方向を有し、肌対向面側に位置する透液性の表面シートと、非肌対向面側に位置する不透液性の裏面シートと、前記表面シートと前記裏面シートとの間に位置する吸収体とを含む吸収性物品において、
前記吸収体は、吸液性コアと、前記吸液性コアの少なくとも前記肌対向面側を被覆するコアカバーシートとを有し、
前記コアカバーシートは、前記吸液性コアの前記肌対向面側を被覆する第１被覆部を有し、
前記第１被覆部と前記表面シートとが接着剤を介して互いに接合されており、
前記コアカバーシートと前記吸液性コアとは、それぞれパルプ繊維を含み、
前記コアカバーシートの前記パルプ繊維によるリグニン成分の含有率が、前記吸液性コアの前記パルプ繊維によるリグニン成分の含有率よりも高く、
前記厚さ方向において、少なくとも前記表面シートから前記吸液性コアの一部まで連続して延びる複数の凹状部を有する前記吸収性物品。
【請求項２】
前記コアカバーシートは、前記吸液性コアの前記非肌対向面側を被覆する第２被覆部をさらに有し、前記第２被覆部と前記裏面シートとが接着剤を介して互いに接合される請求項１に記載の吸収性物品。
【請求項３】
前記凹状部は、有底であって、前記表面シート、前記コアカバーシート及び前記吸液性コアの一部が圧縮されており、前記凹状部の位置する肉薄部分は、前記凹状部が位置していない肉厚部分に比べて密度が高くなっている請求項１又は２に記載の吸収性物品。
【請求項４】
前記凹状部は、前記表面シートと前記吸収体とを前記厚さ方向へ貫通する開口である請求項１−３のいずれかに記載の吸収性物品。
【請求項５】
前記接着剤は、ＳＩＳ系のホットメルト接着剤である請求項１−４のいずれかに記載の吸収性物品。
【請求項６】
前記コアカバーシートは、リグニン成分の含有率が周辺域よりも高く、平面視において散在して位置する複数の高リグニン域を有する請求項１−５のいずれかに記載の吸収性物品。
【請求項７】
前記コアカバーシートのクレープ率が７〜２０％であって、地合い指数が５０−３００である請求項１−６のいずれかに記載の吸収性物品。
【請求項８】
前記表面シートは、第１部分と、前記第１部分に比して繊維密度が密である第２部分とを有し、前記第１部分が前記高リグニン域と接合され、前記第２部分が前記周辺域と接合される請求項６に記載の吸収性物品。
【請求項９】
前記表面シートは、複層構造を有し、肌対向面側に位置する層が主としてコットン繊維から構成されている請求項１−８のいずれかに記載の吸収性物品。
【請求項１０】
前記表面シートのクレム吸水度が、前記コアカバーシートのクレム吸水度よりも低い請求項９に記載の吸収性物品。
【手続補正２】
【補正対象書類名】明細書
【補正対象項目名】０００３
【補正方法】変更
【補正の内容】
【０００３】
【特許文献１】特開昭５６−５３７４５号公報
【手続補正３】
【補正対象書類名】明細書
【補正対象項目名】０００７
【補正方法】変更
【補正の内容】
【０００７】
本発明は、厚さ方向を有し、肌対向面側に位置する透液性の表面シートと、非肌対向面側に位置する不透液性の裏面シートと、前記表面シートと前記裏面シートとの間に位置する吸収体とを含む吸収性物品に関する。
【手続補正４】
【補正対象書類名】明細書
【補正対象項目名】０００８
【補正方法】変更
【補正の内容】
【０００８】
本発明に係る吸収性物品は、前記吸収体は、吸液性コアと、前記吸液性コアの少なくとも前記肌対向面側を被覆するコアカバーシートとを有し、前記コアカバーシートは、前記吸液性コアの前記肌対向面側を被覆する第１被覆部を有し、前記第１被覆部と前記表面シートとが接着剤を介して互いに接合されており、前記コアカバーシートと前記吸液性コアとは、それぞれパルプ繊維を含み、前記コアカバーシートの前記パルプ繊維によるリグニン成分の含有率が、前記吸液性コアの前記パルプ繊維によるリグニン成分の含有率よりも高く、前記厚さ方向において、少なくとも前記表面シートから前記吸液性コアの一部まで連続して延びる複数の凹状部を有することを特徴とする。
【手続補正５】
【補正対象書類名】明細書
【補正対象項目名】０００９
【補正方法】変更
【補正の内容】
【０００９】
本発明に係る吸収性物品は、以下の実施態様を含む。
（１）前記コアカバーシートは、前記吸液性コアの前記非肌対向面側を被覆する第２被覆部をさらに有し、前記第２被覆部と前記裏面シートとが接着剤を介して互いに接合される。
（２）前記凹状部は、有底であって、前記表面シート、前記コアカバーシート及び前記吸液性コアの一部が圧縮されており、前記凹状部の位置する肉薄部分は、前記凹状部が位置していない肉厚部分に比べて密度が高くなっている。
（３）前記凹状部は、前記表面シートと前記吸収体とを前記厚さ方向へ貫通する開口である。
（４）前記接着剤は、ＳＩＳ系のホットメルト接着剤である。
（５）前記コアカバーシートは、リグニン成分の含有率が周辺域よりも高く、平面視において散在して位置する複数の高リグニン域を有する。
（６）前記コアカバーシートのクレープ率が７〜２０％であって、地合い指数が５０−３００である。
（７）前記表面シートは、第１部分と、前記第１部分に比して繊維密度が密である第２部分とを有し、前記第１部分が前記高リグニン域と接合され、前記第２部分が前記周辺域と接合される。
（８）前記表面シートは、複層構造を有し、肌対向面側に位置する層が主としてコットン繊維から構成されている。
（９）前記表面シートのクレム吸水度が、前記コアカバーシートのクレム吸水度よりも低い。
【手続補正６】
【補正対象書類名】明細書
【補正対象項目名】００１５
【補正方法】変更
【補正の内容】
【００１５】
吸収体２０は、第１端縁１０ａと対向する第１端縁２０ａと第２端縁１０ｂと対向する第２端縁２０ｂと、第１及び第２端縁２０ａ，２０ｂ間において縦方向へ延びる第１及び第２側縁２０ｃ，２０ｄとを有する。表裏面シート１１，１２は、吸収体２０の外周から外方へ延出しており、表面シート１１の肌対向面側には、横方向において互いに対向するように縦方向Ｙへ延びる一対のサイドシート１４が配置される。一対のサイドシート１４は、表面シート１１にサイド接合部（図示せず）を介して接合される。図示していないが、サイドシート１４には、着用状態において身体側へ起立する防漏壁を形成するために、縦方向Ｙへ延びる弾性材料を伸長状態で収縮可能に配置してもよい。また、サイドシート１４を固定するためのサイド接合部は、花柄や幾何学模様等の意匠要素を有する、縦方向Ｙへ延びるシールラインであってもよい。
【手続補正７】
【補正対象書類名】明細書
【補正対象項目名】００１６
【補正方法】変更
【補正の内容】
【００１６】
生理用ナプキン１０は、表面シート１１、裏面シート１２及びサイドシート１４から形成された、吸収体２０の第１及び第２端縁２０ａ，２０ｂの縦方向Ｙの外側において横方向Ｘへ延びる両端部１６と、吸収体２０の第１及び第２側縁２０ｃ，２０ｄの横方向Ｘの外側において縦方向Ｙへ延びる両側縁部１７とを有する。生理用ナプキン１０の縦方向Ｙの中央部分には、横方向Ｘの外側へ凸となる、両側縁部１７の一部によって形成されたウイング部１８が位置する。また、互いに積層されたシート１１，１２，１４は、生理用ナプキン１０の外周縁に沿って位置する外周シール部１９を介して互いに接合されている。
【手続補正８】
【補正対象書類名】明細書
【補正対象項目名】００２６
【補正方法】変更
【補正の内容】
【００２６】
また、コアカバーシート２２は、例えば、レーヨン繊維等の再生セルロース繊維、半合成セルロース繊維等の親水性繊維から構成された第１層（上層又は下層）と、脱リグニン処理がなされていない未漂白パルプ繊維４２からなる第２層（下層又は上層）とからなる複層構造を有していてもよい。かかる場合には、後記のとおり、第２層が後記の低リグニン域５１と高リグニン域５２とからなる海島構造を有する場合であっても、第１層において体液を十分に拡散することができるので、コアカバーシート２２全体における体液の拡散のムラを抑制することができる。それによって、複数回に渡って体液を吸収した後であっても、表面シート１１との接合性の低下を抑制することができるとともに、好適な吸液性を維持することができる。
【手続補正９】
【補正対象書類名】明細書
【補正対象項目名】００３４
【補正方法】変更
【補正の内容】
【００３４】
図３及び図４を参照すると、吸液層１３は、縦方向Ｙにおいて互いに対向する第１及び第２端域１３Ａ，１３Ｂと、第１端域１３Ａと第２端域１３Ｂとの間に位置する中間域１３Ｃとを有する。吸液層１３は、表面シート１１から裏面シート１２側へ向かって凹となる複数の凹状部６０と、複数の凹状部６０を囲むように非連続的に環状に延びる圧搾条溝７０とをさらに有する。
【手続補正１０】
【補正対象書類名】明細書
【補正対象項目名】００３８
【補正方法】変更
【補正の内容】
【００３８】
吸液層１３に複数の凹状部６０が形成されていることによって、着用中における吸収体２０のよれや変形を抑制することができる。特に、第１凹状部６０ａが配置された領域は、着用者の排泄口と対向する、吸収体２０において他の領域に比べて肉厚の部分であるから、第１凹状部６０ａを配置することによって剛性を高くして、着用中におけるよれや変形を効果的に防止しうる。また、吸収体２０の全域において縦方向Ｙへ環状に延びる圧搾条溝７０が形成されることによって、圧搾条溝７０を介して体液を速やかに拡散することができるとともに、吸収体２０を身体の形状に沿って全体的に湾曲状に変形させることができる。
【手続補正１１】
【補正対象書類名】明細書
【補正対象項目名】００５５
【補正方法】変更
【補正の内容】
【００５５】
さらに、表面シート１１が、複層構造を有し、肌対向面側に位置する層（上層）を主としてコットン繊維、非肌対向面側に位置する層（下層）を主として疎水性の合成樹脂繊維からそれぞれ形成することもできる。かかる場合には、表面シート１１が肌側に吸水性のコットン繊維を含むにも拘わらず、表面シート１１のクレム吸水度がコアカバーシート２２のクレム吸水度よりも低くなる。表面シート１１のクレム吸水度がコアカバーシート２２のクレム吸水度よりも低くなることによって、生理用ナプキン１０の表面において体液を拡散させずに、それよりも吸収体２０に近いコアカバーシート２２において体液を拡散させることができるとともに、吸収体２０に吸収された体液が表面側へ液戻りすること（リウエットバック）を抑制することができる。
【手続補正１２】
【補正対象書類名】明細書
【補正対象項目名】００５９
【補正方法】変更
【補正の内容】
【００５９】
再び、図３及び図４を参照すると、吸収体２０の横方向Ｘの中央部分には、コアカバーシート２２の両側縁部２２ａ，２２ｂが互いに積層されてなる重畳部分２３が位置している。重畳部分２３はコアカバーシート２２が折り重ねられている部分であるから、吸収体２０の他の部分に比べて未漂白パルプ繊維による薄茶色がより濃く視認され、外観視において縦方向Ｙへ延びるラインとして意匠的なアクセントとなりうる。また、かかる縦方向Ｙへ延びるラインを吸収体２０の中央部分を示す目印として捉えて、生理用ナプキン１０を下着等に貼付するときの位置決めに利用することもできる。さらに、吸液性コア２１が多量の経血を吸収してその両端縁から経血が滲出する場合であっても、その両端縁の縦方向Ｙの外側に疎水性の未漂白パルプ繊維を比較的に多く含んだ重畳部分２３が位置することによって、経血が吸収体２０の両側縁２０ｃ，２０ｄから外側へ滲出するのを効果的に抑制することができる。
【手続補正１３】
【補正対象書類名】明細書
【補正対象項目名】００６５
【補正方法】変更
【補正の内容】
【００６５】
高リグニン域５２は、コアカバーシート２２における周辺域である低リグニン域５１よりもリグニン成分の含有量が高い領域を意味することから、漂白パルプ繊維４１と未漂白パルプ繊維４２とを用いなくても形成することができる。例えば、レーヨン繊維や合成繊維からなる繊維不織布シートにリグニン成分の含有液を散点的に滲入させることによって、周辺域よりもリグニン成分の含有量の高い高リグニン域５２を形成することができる。
【手続補正１４】
【補正対象書類名】図面
【補正対象項目名】図４
【補正方法】変更
【補正の内容】
【図４】
2020000717.tif 000001
【手続補正１５】
【補正対象書類名】図面
【補正対象項目名】図５
【補正方法】変更
【補正の内容】
【図５】
2020000717.tif 000002